(57)【特許請求の範囲】
【請求項１】
少なくとも１個のカッタ組立体を収容するヘッド組立体を含み、前記カッタ組立体は、環状リングの形態に構成される毛入孔を備えるガードと、該ガード内に収容されるカッタブレードを有する回転カッタとを含み、前記カッタ組立体は、前記ガードに対して前記回転カッタによって加えられる弾性力に抗して、前記ヘッド組立体に対して後退可能である、ひげそり装置であって、
前記ヘッド組立体は、前記カッタ組立体の前記ガードの前記環状リングの内側に配置される第１部分と、前記環状リングの外側に配置される第２部分とを有する周面を含み、前記第１部分及び前記第２部分は、互いに対して固定されることを特徴とする、ひげそり装置。
【請求項２】
前記ヘッド組立体の一部が取り外し可能であり、前記カッタ組立体のために、前記回転カッタ及び前記周面の前記第１部分は、当該ひげそり装置の本体に固定され、前記ガードは、前記ヘッド組立体の前記取り外し可能な部分に固定される、請求項１に記載のひげそり装置。
【請求項３】
前記ヘッド組立体の前記取り外し可能な部分が取り外されるときに、当該ひげそり装置が動作することを防止するために、カットオフスイッチが設けられる、請求項２に記載のひげそり装置。
【発明の詳細な説明】
本発明は、ガード内に収容した回転カッタを具える少なくとも１個の回転カッタ組立体を設けたひげそりヘッドを有するタイプのひげそり装置に関するものである。
上述のタイプの従来のひげそり装置においては、皮膚に接触する閉鎖端面を有するほぼ円筒形のガード内に回転カッタを収容する。毛入孔を閉鎖端面の外側端縁の周りに設け、回転カッタのブレードをこれら毛入孔に隣接させてガード内で回転させる。回転カッタ組立体は、ひげそりヘッド内に取り付けるばねを有し、ガードがひげそりヘッドの周面を越えて突出するようにする。
使用中使用者の顔に当てるひげそりヘッドに圧力を加えると、カッタ組立体は止め部に達するまで後退し、それ以上の圧力の増加はひげそりヘッドのガード及び周面に分散される。このタイプの組立体はヨーロッパ特許第２３１９６６号に記載されている。
本発明の目的は、使用中にひげそり装置に加わる広範囲にわたる力に対して回転式ひげそり装置のひげそり特性を改善させるひげそり装置を得るにある。
この目的を達成するため、本発明は、少なくとも１個のカッタ組立体を収容するヘッド組立体を具え、前記カッタ組立体を、環状のリングとして配列した毛入孔を設けたガード内に収容したカッカブレードを有する回転カッタにより構成したひげそり装置において、ヘッド組立体の周面は、各カッタ組立体に対して前記環状リングの内側の第１部分と、前記環状リングの外側の第２部分とにより構成し、前記第１部分及び第２部分を相対的に固定した位置関係に設けたことを特徴とする。
本発明ひげそり装置においては、毛入孔を環状に配列したリングの内側の領域をヘッド組立体の力吸収面の一部を画定する固定面とする。これにより、力吸収面が増加し、このことが以下に説明するように、広範囲にわたり変化する力にわたるひげそり特性を改善させることを本発明者は見いだした。
好適には、周面の第１部分をひげそり装置の本体に固定し、ガードをハウジングの着脱自在のカバーに固定する。このようにして、カバー部分の取り外しによりガード及び回転カッタを露出させてその後のクリーニングを行うことができるようになる。好適には、着脱自在のカバーを取り外したとき回転カッタが動作しないようにするカットオフスイッチを設ける。
ガードは着脱自在のカバー内で摺動自在に収容し、回転カッタをガードに向けて弾性的に押圧偏倚する。ひげそり装置は２個又は３個のカッタ組立体を設けると好適である。
以下に添付図面につき本発明の実施例を説明する。
図１は、本発明を適用するひげそり装置の正面図、
図２は、従来の回転ひげそりヘッドの一実施例の詳細を示す図１のＸ−Ｘ線上の縦断面図、
図３は、本発明による回転ひげそりヘッドの詳細を示す図１のＸ−Ｘ線上の縦断面図、
図４は、加わる圧力の範囲にわたるひげそり特性を示すグラフである。
図１に示すひげそり装置は、本体１とひげそりヘッド２とを有し、このひげそりヘッド２には３個のカッタ組立体３を設ける。各カッタ組立体３は、環状のリング状に配列した毛入孔６を設けた外側のガード４と、このガード４に対して回転自在の内側の回転カッタ８（図２及び図３参照）とを有する。回転カッタ８は電動モータによって駆動し、この電動モータはひげそり装置の本体１内に収納する。
上述の特徴は従来の回転式ひげそり装置及び本発明のひげそり装置の双方とも有している。
図２には従来のカッタ組立体３の１個の実施例の詳細を示す。ひげそりヘッド２は、カッタ組立体３を収容する開口を設けたひげそりヘッドハウジング１０を有する。ガード４及び回転カッタ８を有する各カッタ組立体３ハ、保持プレート１２によってハウジングヘッド２内に保持し、この保持プレートは釈放自在にハウジング１０に掛合する。ガード４は保持プレート１２に着脱自在に固定し、保持プレート１２は固定ねじ１４によってハウジング１０に固定する。螺旋ばね１６の形式の弾性素子を保持プレート１２と固定ねじ１４のヘッドとの間に圧縮させ、保持プレート１２をハウジング１０に対して制限された範囲内で移動できるようにする。この結果、ガード４はハウジング１０に対してハウジング１０の周面１８にほぼ直交する方向に移動可能にする。保持プレート１２のハウジング１０内での固定は、各ガード４の閉鎖端面がハウジング１０の周面１８を越えて突出するように配置する。
回転カッタ８の各々は、各回転カッタ８を心決めするそれぞれの駆動軸２０に掛合する。駆動軸自体は軸線方向に後退可能にし、カッタ組立体の駆動時にカッタ組立体が後退できるようにする。ガード４には、ガード４の端面の外側端縁にリング状に配列した毛入孔６を設け、これらの毛入孔６により画定されるリングの内側に窪み部分を設ける。
本発明によるカッタ組立体３を図３に詳細に示し、同一部分には同一の参照符号を付して説明する。本発明によるカッタ組立体３に使用するガード４は、やはり環状に配列した毛入孔６を有するが、毛入孔６によって画定されるリングの内側には中心開口を設ける。この中心開口に固定支持ディスク２２を設け、この固定支持ディスク２２はひげそりヘッドの周面１８の一部をなすと見なすことができる。このようにして、ヘッド２の周面１８の第１部分はディスクによって画定され、第２部分はハウジング１０によって画定される。
支持ディスク２２は周縁が隆起した部分を有し、この隆起部分は環状に配列した毛入孔６のリングの外側の周面１８の第２部分と同一レベルに位置する。ディスク２２の外側端縁は皮膚接触面をなす。
ディスク２２をひげそり装置の本体１にスピンドル２４を介して固着し、このスピンドル２４は回転カッタ８の駆動機構の中心支持体としても機能する。駆動機構はギヤホイール２６を有し、ギヤホイール２６を図示しない機構によってひげそり装置の駆動モータに連結する。ギヤホイール２６は一連の内歯２７を有し、これら内歯２７を連結部材２８の外歯２９に掛合させ、この連結部材２８はトルクをギヤホイール２６から回転カッタ８に伝達する。連結部材２８とギヤホイール２６との間の掛合によって連結部材２８のスピンドル２４の軸線に沿う限定された範囲の移動を可能にし、また連結部材２８をばね３０によって周面１８の方向に押圧する。
回転カッタ８を連結部材２８の端部に適当な軸受によって連結し、この軸受は回転カッタ８をスピンドル２４の軸線に直交する平面上で若干の移動を可能にするものとする。回転カッタ８は、カッタブレードが環状のガード４によって画定されるチャンネル内で心決めされる。
本発明のひげそり装置の改善されたひげそりレスポンスを以下に説明する。使用中にひげそり装置に加わる圧力全体はカッタ組立体及びひげそりヘッドの周面にわたり分散される。従来のひげそりヘッドにおいては、隆起したリムが各カッタ組立体を包囲して皮膚伸ばしリムとして作用し、またこのリムは力吸収面として作用する。毛入孔の位置で皮膚に加わる力は皮膚が毛入孔内に膨らんでめり込む深さを決定する。このような若干の皮膚のめり込みは密着したひげそりにとって好ましいため制御の重要なパラメータであるが、過剰なめり込みは皮膚に対して不快感又はひりつき（刺激）を与える結果となる。好適には、めり込みの深さはユーザーによって加えられる圧力（以下「ひげそり力」と称する）の変動には無関係になるべきである。
図４において、曲線４０はひげそり装置に加わるひげそり力Ｆの関数として皮膚の理想的なめり込みＢを示し、この理想めり込みＢに実際のひげそり装置は近似させるべきである。弱いひげそり力に対してはめり込みの度合いは急激に上昇し、この後それ以上高いひげそり力に対してはできるだけ一定に維持されるべきである。この曲線に近似させるため、カッタ組立体（図２及び図３の双方の実施例における）は、弱いひげそり力ではひげそり力のすべてを吸収し、強いひげそり力ではカッタ組立体が後退してひげそり力に比例した力の部分をひげそりヘッドハウジングが吸収するようにする。
この最適な応答性は実際上完全には得られない。例えば、図２に示すような普通のひげそり装置は曲線４４で示される応答性を示す。ひげそりヘッド内にカッタ組立体を懸垂することは、弱いひげそり力でもカッタ組立体のみを皮膚に接触させ、比較的迅速な盛り上がりのめり込みを生ずる。しかし、各カッタ組立体の中心部分は弱いひげそり力であってもひげそり力の若干を吸収し、めり込みの初期上昇を制限する。より強いひげそり力全体に対しては、ハウジングの固定周縁がひげそり力の他の残りの部分を吸収し、めり込み量は緩慢に上昇する。しかし、曲線４０の理想応答性には到達することができない。即ち、特に、普通の装置の皮膚伸ばしリムが小さい面積であるためである。
本発明による装置は曲線４６で示す応答性を有し、この応答性は好ましい理想応答性により一層近似する。弱いひげそり力に対しては、毛入孔の環状のリングがひげそり力全体を吸収し、めり込み量はひげそりのための選択した最適値まで急激に上昇する。より強いひげそり力に対しては、毛入孔のリムにおける力吸収面が追加された分のひげそり力を分散させる大きな表面を提供し、毛入孔の内側及び外側の双方で皮膚を支持する。従って、増分ひげそり力は、固定周面（周面１８及びディスク２２）にわたり分散され、毛入孔の環状リングにおける圧力はほぼ一定に維持される。
図３に示す本発明によるひげそり装置は、更に、ひげそりヘッド組立体のクリーニング作業を簡素化する。特に、回転カッタ８及び連結部材２８はひげそり装置の本体１に固定されており、従って、ヘッド２を取り外したとき所定位置に止まる。ガード４をヘッド２に取り付け、適当な連結手段（図示せず）によってヘッド２に対してガードが制限された範囲の移動を行えるようにする。ヘッド２を取り外すことによって、ひげそり装置の本体１に連結されたままの回転カッタ８が露出し、また取り外したヘッド２に連結した毛入孔６も露出する。支持ディスク２２はひげそり装置の本体１に固定された状態を維持する。ヘッド組立体２を取り外したとき回転カッタ８が動作することができないようにするカットオフスイッチが必要であるが、当業者であれば適当な形式のカットオフスイッチを使用することができるであろう。
本発明のひげそり装置のカッタ組立体はそれぞれ独立して弾発し、カッタ組立体の懸垂は、ばね剛さ及び予張力を適切に選択することによって最良のひげそり特性を得るように設計する。例えば、毛入孔のを環状に配列したリングは、内径１４ｍｍ及び外径２０ｍｍを有するものとする。カッタ組立体のこの寸法に対しては約０．５Ｎのばね予張力が適切であり、この場合、０．５Ｎ以下のひげそり力ではひげそり力全体が毛入孔のリングにより吸収される。約０．５Ｎのひげそり力は皮膚が膨らんで毛入孔にめり込むレベルを理想的にするのに必要である。低いばね剛さは、理想的なめり込みレベルに達したときカッタ組立体が迅速に後退する上で望ましい。従って、ひげそりヘッドの周面は０．５Ｎ以上のひげそり力を吸収し、従って、毛入孔のリングに対する力はほぼ一定に維持される。例えば、０．１〜０．２Ｎ／ｍｍのばね剛さが適当である。
ばね特性の調整は図４の応答性に影響する。更に、内側支持ディスク２２の設計もばね応答性に影響する。例えば、ガード４の周面１８を越える突出量をガードのディスク２２を越える突出量と異ならせることもできる。代表的には、ガードが完全に突出したときの毛入孔６のリングの突出量を０．５ｍｍ〜１．０ｍｍとする。支持ディスク２２は周面１８から僅かに突出させ、例えば、ガード４の毛入孔６のリングを周面１８から０．９ｍｍ突出させ、また支持ディスク２２のリムから０．７ｍｍ突出させる。
中心支持ディスクの形状も図４に示す応答性に影響を与え、またひげそり中にディスクの皮膚伸ばし作用を最適にするよう成形する。
【図１】
0004270582.tif 000002
【図２】
0004270582.tif 000003
【図３】
0004270582.tif 000004
【図４】
0004270582.tif 000005